(57)【要約】【課題】  一連の連続動作に基づく連写画像における被写体等の動きを自動検出して、最適な向きで画像をレイアウトすることにより、自然で動きの変化を見易くするインデックスプリントを印刷可能とする画像印刷配列決定装置、及び、画像印刷配列決定方法を提供する。【解決手段】  画像印刷配列決定装置は、画像データ記憶部と制御部とを備え、前記制御部は、連写によって生成された複数の連写画像データを識別する連写画像データ識別部と、被写体の動作方向を検出する動作方向検出部と、検出された向きに基づいて、前記複数の連写画像データを媒体上に印刷して形成される複数の印刷画像の前記媒体上における配列の向きを定めて、前記複数の印刷画像が前記配列の向きに沿って時系列に並ぶように配列を定める画像配列部と、を有する。【選択図】    図１
2014060566.tif 000002
【特許請求の範囲】
【請求項１】
画像データが記憶された画像データ記憶部と制御部とを備え、
前記制御部は、
前記画像データ記憶部で記憶された複数の画像データから連写によって生成された複数の連写画像データを識別する連写画像データ識別部と、
前記連写画像データ識別部で検出した前記複数の連写画像データから当該複数の連写画像データに記録された被写体データによって表される被写体の動作方向を検出する動作方向検出部と、
前記動作方向検出部により検出された向きに基づいて、前記複数の連写画像データを媒体上に印刷して形成される複数の印刷画像の前記媒体上における配列の向きを定めて、前記複数の印刷画像が前記配列の向きに沿って時系列に並ぶように、前記複数の印刷画像の前記配列を定める画像配列部と、を有することを特徴とする画像印刷配列決定装置。
【請求項２】
前記連写画像データ識別部は、識別した前記複数の連写画像データの枚数を検出することを特徴とする請求項１に記載の画像印刷配列決定装置。
【請求項３】
前記動作方向検出部は、前記複数の連写画像データに記憶された前記被写体データに基づいて前記被写体の動作方向が上下左右の何れかを検出することを特徴とする請求項１又は請求項２に記載の画像印刷配列決定装置。
【請求項４】
前記画像印刷配列決定装置は、外部からの入力を受け付ける入力部をさらに備え、
前記入力部には、前記複数の印刷画像の前記媒体上における列数が入力されることを特徴とする請求項１乃至請求項３の何れかに記載の画像印刷配列決定装置
【請求項５】
前記入力部には、前記複数の印刷画像の前記媒体上における一列の枚数が入力されることを特徴とする請求項４に記載の画像印刷配列決定装置。
【請求項６】
外部から画像データを読み込んで、読み込まれた前記画像データを記憶し、前記記憶された複数の画像データから連写によって生成された複数の連写画像データを識別し、前記識別した前記複数の連写画像データから当該複数の連写画像データに記録された被写体データによって表される被写体の動作方向を検出し、前記検出した動作方向に基づいて、前記複数の連写画像データを媒体上に印刷して形成される複数の印刷画像の前記媒体上における配列の向きを定めて、前記複数の印刷画像が前記配列の向きに沿って時系列に並ぶように、前記複数の印刷画像の前記配列を定めることを特徴とする画像印刷配列決定方法。
【発明の詳細な説明】
【技術分野】
【０００１】
本発明は、画像印刷配列決定装置、及び、画像印刷配列決定方法に関する。
【背景技術】
【０００２】
近年、葉書に宛名、イメージ、文章等を印刷することができる家庭用の印刷装置が広く普及している。これらを用いることにより年賀状や暑中見舞い等の宛名や文章等を家庭内で大量に印刷することができるようになった。
【０００３】
そして、印刷装置には、カメラで撮影した画像が格納されたメモリーカードを装着させることにより、選択して画像を印刷したり、複数の画像により構成されるインデックスプリントを印刷する機能を有するものもある。
【０００４】
また、下記に示す特許文献１には、複数の連続する画像データの取り込み順に対し、画像の内容に応じた効果的な配列として表現力を高めることが可能になるプリンタが開示されている。このプリンタは、複数の画像を複数行複数列に配列する際のレイアウトを、横配列の状態、縦配列の状態、右回り配列の状態、又は、左回り配列の状態として、何れかの状態をユーザーに選択させるものである。
【先行技術文献】
【特許文献】
【０００５】
【特許文献１】特開平１０−５１７１６号公報
【発明の概要】
【発明が解決しようとする課題】
【０００６】
しかしながら、上述の特許文献１の装置では、複数の配列から選択して配置変更を可能にするものであって、画像の変化に合せた見易い配列を自動的に決定するものではなかった。
【０００７】
本発明は、一連の連続動作に基づく連写画像における被写体等の動きを自動検出して、最適な向きで画像をレイアウトすることにより、自然で動きの変化を見易くするインデックスプリントを印刷可能とする画像印刷配列決定装置、及び、画像印刷配列決定方法を提供することを目的とする。
【課題を解決するための手段】
【０００８】
本発明に係る画像印刷配列決定装置は、画像データが記憶された画像データ記憶部と制御部とを備え、前記制御部は、前記画像データ記憶部で記憶された複数の画像データから連写によって生成された複数の連写画像データを識別する連写画像データ識別部と、前記連写画像データ識別部で検出した前記複数の連写画像データから当該複数の連写画像データに記録された被写体データによって表される被写体の動作方向を検出する動作方向検出部と、前記動作方向検出部により検出された向きに基づいて、前記複数の連写画像データを媒体上に印刷して形成される複数の印刷画像の前記媒体上における配列の向きを定めて、前記複数の印刷画像が前記配列の向きに沿って時系列に並ぶように、前記複数の印刷画像の前記配列を定める画像配列部と、を有することを特徴とする。
【０００９】
本発明に係る画像印刷配列決定方法は、外部から画像データを読み込んで、読み込まれた前記画像データを記憶し、前記記憶された複数の画像データから連写によって生成された複数の連写画像データを識別し、前記識別した前記複数の連写画像データから当該複数の連写画像データに記録された被写体データによって表される被写体の動作方向を検出し、前記検出した動作方向に基づいて、前記複数の連写画像データを媒体上に印刷して形成される複数の印刷画像の前記媒体上における配列の向きを定めて、前記複数の印刷画像が前記配列の向きに沿って時系列に並ぶように、前記複数の印刷画像の前記配列を定めることを特徴とする。
【発明の効果】
【００１０】
本発明によれば、一連の連続動作に基づく連写画像における被写体等の動きを自動検出して、最適な向きで画像をレイアウトすることにより、自然で動きの変化を見易くするインデックスプリントを印刷可能とする画像印刷配列決定装置、及び、画像印刷配列決定方法を提供することができる。
【図面の簡単な説明】
【００１１】
【図１】本発明の実施形態に係る印刷装置の斜視図である。
【図２】本発明の実施形態に係る印刷装置におけるキーボードを示す説明図である。
【図３】本発明の実施形態に係る印刷装置の断面模式図である。
【図４】本発明の実施形態に係る印刷装置の機能ブロック図である。
【図５】本発明の実施形態に係る印刷装置で読み込まれた連写画像の一例の図である。
【図６】本発明の実施形態に係る印刷装置で読み込まれた連写画像を所定の配列にした図である。
【図７】本発明の実施形態に係る印刷装置で読み込まれた他の連写画像の一例の図である。
【図８】本発明の実施形態に係る印刷装置で読み込まれた他の連写画像を所定の配列にした図である。
【図９】本発明の実施形態に係る印刷装置によるインデックスプリントの配列処理の流れを示すフローチャートである。
【発明を実施するための形態】
【００１２】
以下、本発明の実施形態を図に基づいて詳説する。本発明は、連写画像をより見易く並べ替えたインデックスプリントを印刷することができる画像印刷配列決定装置を印刷装置1に適用した場合について説明する。図１は、本発明の実施形態に係る印刷装置1の外観斜視図であり、図２は、本発明の実施形態に係る印刷装置におけるキーボードを示す説明図であり、図３は、印刷装置1の側面断面模式図である。印刷装置1は、葉書（１００×１４８ｍｍ）やＬ判（８９×１２７ｍｍ）、２Ｌ判（１７８×１２７ｍｍ）等の比較的小さな記録媒体である被印刷媒体10に印刷を実行する装置であり、住所録を作成する機能や、住所録から自動で葉書に宛名書きをする機能、デジタルカメラで撮影した写真画像を取り込み写真として印刷する機能、文章を編集する機能、取り込んだ画像と文章とを組み合わせて葉書に印刷する機能等、様々な機能を有している。
【００１３】
この画像印刷配列決定装置とする印刷装置1は、図１に示すように、給紙トレイを備えて上部に表示部8を有した箱形の筐体2を備え、筐体2の前方にはキーボード3が配置されている。このキーボード3は、筐体2の前方下端近傍に回動可能に装着されており、使用状態では図示したように前方に倒され、使用しない場合には筐体2の前面と対向した状態で収納されている。
【００１４】
このキーボード3は、図２に示すように、電源を入れたり切ったりするための電源スイッチキー30、項目を選択したり、選択した項目の設定内容を変更するためのカーソルキー32、操作を進めるために選択対象や変更内容を確定させる実行キー34、表示部8にトップメニュー画面を表示させるためのトップメニューキー、印刷実行の指示に用いるプリントキー、文字や数字を入れるための文字・数字キー36等が配置されており、使用者の入力操作に基づいて所定の操作信号を後述の制御部41に送信する。
【００１５】
筐体2の前面には、印刷が完了した葉書や写真等の被印刷媒体10が排出される排紙口5と、メモリーカード等の可搬型記憶媒体を挿入可能な記憶媒体挿入口6とが形成されている。この記憶媒体挿入口6は、メモリーカード等の着脱可能な可搬型記憶媒体が挿入されることにより、デジタルカメラで撮影された写真の画像データや、パーソナルコンピュータで編集された文章等の編集データ、複数の宛名データからなる住所録ファイルを印刷装置1に取り込み可能とするとともに、印刷装置1で編集したデータをメモリーカード等に保存可能とする。
【００１６】
また、筐体2の上面には、液晶等の表示部8が配置され、この表示部8は筐体2の上部において正面方向に回動可能とされている。この表示部8は、キーボード3からの入力信号に対応して画面上に入力内容が表示される、或いは、各種の設定に必要なメニュー画面が表示される、又は、デジタルカメラから取り込んだ写真画像が表示される等、印刷装置1で必要とする各種のデータが表示される。なお、この表示部8は、タッチパネルとして構成されることもある。表示部8をタッチパネルとして構成することによりキーボード3を使用せずとも表示部8上で簡単な入力操作が可能となる。
【００１７】
さらに、筐体2の上部には、筐体2の後方側から筐体2の上方までの間を回動可能な取っ手15が装着されている。この取っ手15は、略コ字状に形成され、印刷装置1の運搬時等に把持されて使用される。
【００１８】
そして、印刷装置1は、図３に示すように、筐体2の背面に開口する空腔部16を有し、この空腔部16の開口を塞ぐように給紙トレイ18が配置されている。この給紙トレイ18は、筐体2の後方であって下方近傍位置に軸着されており、上端を前後方向に移動させるように回動可能とされ、被印刷媒体10を複数枚重ねて収容することができるようになっている。
【００１９】
また、給紙トレイ18の内側であって上方位置には、給紙トレイ18に収容された被印刷媒体10を１枚ずつ下方に送り出すピックアップローラ19が配置されている。また、給紙トレイ18の下端近傍には、ピックアップローラ19によって下方に送り出された被印刷媒体10を筐体2の排紙口5方向へと搬送する搬送ローラ20a,20bが配置されている。また、筐体2の内部であって印刷ヘッド21の前方には、印刷を完了した被印刷媒体10を排紙口5から排出する排紙ローラ22a、22bが配置されている。この搬送ローラ20aと排紙ローラ22aは、図示しないステッピングモータによって回転を制御されて、所定速度で被印刷媒体10を搬送している。なお、ピックアップローラ19と、搬送ローラ20a、20bと、排紙ローラ22a、22bとは、印刷装置1における搬送部として機能している。
【００２０】
印刷部とされる印刷ヘッド21は、排紙口5近傍の装置内部に配置され、Ｙ（イエロー）、Ｍ（マゼンタ）、Ｃ（シアン）の各色インクを吐出する夫々のノズルを有するインクジェット方式の印刷ヘッド21とされ、ノズルから各色を被印刷媒体10に噴射することにより印刷を実行する。なお、インクジェット方式の印刷ヘッド21について述べたが、本発明がインクジェット方式に限定されるものではない。
【００２１】
そして、給紙トレイ18に収容された被印刷媒体10は、ピックアップローラ19によって前方に位置する被印刷媒体10から順に下方に送り出され、搬送ローラ20a,20bとの間に挟み込まれた状態で、排紙口5近傍の装置内部で印刷ヘッド21の下方に繰り出され、印刷が完了後、排紙ローラ22a、22bの間に挟み込まれて排紙口5から外部へと排出される。
【００２２】
次に、本実施形態の画像印刷配列決定装置とする印刷装置1の制御回路について述べる。図４は、印刷装置1の機能回路ブロック図である。この印刷装置1は、図４に示すように、システム全体を司る制御部41と、ＲＯＭ51、ＲＡＭ52からなる記憶部42と、表示部8と、入力部45と、印刷機構47と、Ｉ／Ｏ53と、を備えている。
【００２３】
ＲＯＭ51には、設定された文字列データ等を表示し印字するためのプログラムや印刷フォント等が記憶され、ＲＯＭ51は、制御部41で読み取り可能なプログラムが記憶された記録媒体としても機能する。
【００２４】
そして、Ｉ／Ｏ53は、記憶媒体挿入口6に装着されるメモリーカード等の外部メモリ54のデータを読み込んで制御部41に伝達するものである。
【００２５】
また、ＲＯＭ51は、フラッシュメモリーにより書換え可能な構成とされており、制御部41に制御されてメモリーカード等に格納される画像データを読み込んで記憶する画像データ記憶部でもある。
【００２６】
そして、ＲＡＭ52には、入力された印刷情報が展開された印刷パターンデータが記憶される印字データメモリ領域や表示部に表示させるパターンデータが記憶される表示データメモリ領域などが確保されており、印字処理、画像処理などに必要なデータを一時的に記憶するレジスタやカウンタなども設けられている。
【００２７】
入力部45は、使用者が入力操作に用いたり、各種モード選択等のユーザーインターフェースである上述したキーボード3であって、電源スイッチキー30、カーソルキー32、実行キー34、プリントキー等を備えている。表示部8は、各種の操作画面を表示したり画像データを表示する上述した液晶等であって、所定の操作信号を受信した制御部41により制御されて、複数の操作画面のうち所定の操作画面を表示する。なお、入力部45としては、表示部8の表面にタッチパネルが設けられる場合は、このタッチパネルを含む。
【００２８】
印刷機構47は、印刷部55と搬送部56から構成され、印刷部55は、上述した印刷ヘッド21とされるものであって、被印刷媒体10に印刷を実行する処理を行う。また、搬送部56は、上述したピックアップローラ19、搬送ローラ20a、20bや排紙ローラ22a、22b、ローラを回転させるステッピングモータによって構成され、被印刷媒体10を搬送する処理を行う。
【００２９】
制御部41は、ＣＰＵであって入力部45からのキー操作信号に応じて、又は、自動で、ＲＯＭ51に予め記憶されているシステムプログラム、メモリーカードに記憶された制御プログラム等を起動させ、ＲＡＭ52をワークメモリとして回路各部の動作を制御する。
【００３０】
そして、本発明の制御部41は、ＲＯＭ51の画像記憶部で記憶された複数の画像データから単ショット画像と連写画像とを識別する連写画像データ識別部として機能する。連写画像データ識別部は、識別した連写画像の画像データの枚数を検出するものである。なお、連写画像データ識別部は、複数の連写画像データを画像認識により背景及び被写体を識別して、連続写真か否かを検出したり、画像データの付属データである被写体データから撮影日時から連写画像か否かを検出するものである。
【００３１】
さらに、制御部41は、連写画像データ識別部として検出した複数の連写画像データから被写体や画像全体の動作方向を検出する動作方向検出部としても機能する。動作方向検出部は、連写画像の複数の画像データにより被写体や画像全体の動作方向、つまり動作特徴点が上下左右の何れかに移動しているかを検出するものである。
【００３２】
また、制御部41は、動作方向検出部として検出した動作の向きに応じて、複数の連写画像データを媒体上に印刷して形成される複数の印刷画像の媒体であるインデックスプリント上における配列の向きを定めて、複数の印刷画像が配列の向きに沿って時系列に並ぶように、複数の印刷画像の前記配列を定める画像配列部としても機能する。
【００３３】
なお、本発明の画像印刷配列決定装置とする印刷装置1では、入力部において、インデックスプリントの印刷モード選択可能としており、入力部では、インデックスプリント印刷モードにおいてメモリーカード等に格納されて画像記憶部に読み込まれた連写画像の画像データのインデックスプリントを作成するにあたって、連写画像の列数を設定可能としている。
【００３４】
また、入力部において、インデックスプリントにおける連写画像の一列の枚数を設定可能としている。
【００３５】
次に、本発明における画像印刷配列決定装置とする印刷装置1のインデックスプリントの配列を所定方向に変換させる画像印刷配列決定方法について図を用いて説明する。図５は、連写画像の一例として、少年が野球のバットを振る一連の動作を撮影した８枚の画像データを示す図である。
【００３６】
画像印刷配列決定装置とする印刷装置1は、先述のとおりデジタルカメラ等で撮影された多数の画像データが格納されたメモリーカードを装着されて、画像を選択して印刷される場合、又は、多数の画像を一覧できるようにインデックスプリントを印刷する場合がある。
【００３７】
そして、多数の画像データの中には、スポーツシーン等の秒数コマによる連写撮影された画像などが含まれる場合がある。これらの連写画像は１コマずつ印刷すると変化がわかりにくいが、インデックスプリントにして一枚に並べて印刷するとダイナミックな変化を感じることができるものである。
【００３８】
但し、インデックスプリントは、横配置であれば基本的には、１枚目の画像を左上に配置し、以降の画像を次々に右方向に配列して、所定枚数配置すると下段に遷移してまた左端から配置され、以下同様に配列される。
【００３９】
そして、スポーツシーン等の連写画像は、撮影した構図、撮影条件等によって様々な場合があり、右から左に移動する場合、左から右に移動する場合、下から上に移動する場合又は、斜めに移動する場合などがありうる。
【００４０】
つまり、連写画像の移動方向とインデックスプリント内の各画像の配列方向を同様とすることにより、見易いインデックスプリントとすることができる。
【００４１】
連写画像の一例として、図５に示すように、少年が野球のバットを振る一連の動作を撮影した連写画像データの場合、バットを上段に構えた状態の第一連写画像データ70aから徐々に動作特徴点75であるバットのスイングが開始されて、第二連写画像データ70b、第三連写画像データ70c、第四連写画像データ70d、第五連写画像データ70e、第六連写画像データ70f、第七連写画像データ70gと動作特徴点75であるバットのスイングが左から右へと遷移し、第八連写画像データ70hでバットを振り切った画像が写し出されている。
【００４２】
つまり、図５に示したバットスイングによる連写画像は、画面全体の背景は各画像で画像データに変化が無く、バットによる動作特徴点75が各画像の変化点として抽出され、投影時内の経過に従って、左から右に移動するものである。
【００４３】
したがって、画像印刷配列決定装置とする印刷装置1は、左から右に移動する連写画像を図６に示す右移動インデックスプリント70として、撮影順通りに左端に第一連写画像データ70aを配置し、以下その右側に順次、第二連写画像データ70b、第三連写画像データ70c、第四連写画像データ70d、第五連写画像データ70e、第六連写画像データ70f、第七連写画像データ70gと配列し、最右端に第八連写画像データ70hを配置させる。
【００４４】
これにより、図６に示した右移動インデックスプリント70は、連写画像の動きと同様な配列構成となり、連写画像を自然に見易くするものとし、かつ、バットスイングの動作をダイナミックに写し出している。
【００４５】
そして、連写画像の一例として、図７に示すように、人が走る一連の動作を撮影した連写画像データの場合、右側に写る人がこれから走り出す状態を示す第一連写画像データ80aに始まって、動作特徴点85である人の頭部分が、第二連写画像データ80b、第三連写画像データ80c、第四連写画像データ80d、第五連写画像データ80e、第六連写画像データ80f、第七連写画像データ80gと進むにつれて、右から左へと移動し、第八連写画像データ80hでは、人が左端に見切れた状態の画像が写し出されている。
【００４６】
つまり、図７に示した人の走る動作の連続動作は、人が右から左に移動するものである。したがって、印刷装置1は、右から左に移動する連写画像を、図８に示すように左移動インデックスプリント80として、撮影順とは反対となるように、左端に第八連写画像データ80hを配置し、以下その右側に順次、第七連写画像データ80g、第六連写画像データ80f、第五連写画像データ80e、第四連写画像データ80d、第三連写画像データ80c、第二連写画像データ80bと配列し、最右端に連写画像の最初のコマである第一連写画像データ80aを配置させる。
【００４７】
これにより、図８に示した左移動インデックスプリント80は、撮影順とは異なった順に配列させて連写画像の動きと同様な配列構成となり、連写画像を自然に見易くするものとし、かつ、人の走る動作をダイナミックに写し出している。
【００４８】
次に、本発明の画像印刷配列決定装置とする印刷装置1のインデックスプリント70,80を印刷するまでの流れについてフローチャートを用いて説明する。図９は、本発明の実施形態に係る印刷装置1によるインデックスプリント70,80の配列処理の流れを示すフローチャートである。
【００４９】
制御部41は、ユーザーにより入力部を操作されてインデックスプリントの印刷モードと入力されると、メモリーカード等に格納された全画像データをＲＯＭ51の画像記憶部で読み込む処理（ステップＳ１０１）を実行する。
【００５０】
次に、制御部41は、連写画像データ識別部としてＲＯＭ51に格納された全画像データをＲＡＭ52のワークエリアに展開していき、画像処理による判定又は撮影日時のデータから単ショット画像と連写画像とを識別して、連写画像の有無を判定（ステップＳ１０５）する。また、連写画像データ識別部は、連写画像の画像データの枚数も検出し、インデックスプリントの連写画像の横一列の枚数を定めることに用いることとなる。
【００５１】
連写画像の有無の判定（ステップＳ１０５）において、読み込んだ画像データが全て単ショットであれば、ステップＳ１３０に進み、読み込んだ全画像データを被印刷媒体の通常の配列規則に則った方向（例えば、左端上から配置させ以下順番に右に配置）で各画像をレイアウトさせてインデックスプリントを印刷し処理を終了する。
【００５２】
連写画像の有無の判定（ステップＳ１０５）において、読み込んだ画像データに連写画像が含まれていれば、ステップＳ１１０に進み、制御部41は、連写画像データ識別部として検出した複数の連写画像から被写体や、画像全体に動きがあるか否かを検出するために連写画像群の背景画、被写体画等の比較認識に基づく画像処理（ステップＳ１１０）を行う。
【００５３】
次に、制御部41は、連写画像データ識別部による画像処理（ステップＳ１１０）から被写体や画像全体に動きがあったかを判定（ステップＳ１１５）する。
【００５４】
動作判定（ステップＳ１１５）において、読み込んだ連写画像に動きがなく全てが静止画と判断すると、ステップＳ１３０に進み、先述の画像の配列規則に則った各画像のインデックスプリントを印刷し処理を終了する。
【００５５】
そして、動作判定（ステップＳ１１５）において、読み込んだ連写画像に動きがあると判断すると、制御部41は、動作方向検出部として、連写画像の複数の画像データにより、背景画像などの視野全体の移動方向又は、画像中の一部画像のみの変化を検出して、被写体や画像全体の動作方向を先述の動作特徴点により解析し、上下左右の何れかに移動しているかを検出（ステップＳ１２０）する。
【００５６】
制御部41は、画像配列部として、先に検出した動作の向き（上下左右）に応じてインデックスプリントの画像データの配列を定めて、印刷部等を制御してインデックスプリントの印刷（ステップＳ１２５）を行い、処理を終了する。
【００５７】
なお、本発明の画像印刷配列決定装置とする印刷装置1では、入力部において、インデックスプリントの印刷モード選択可能としており、入力部では、インデックスプリント印刷モードにおいてメモリーカード等に格納されて画像記憶部に読み込まれた連写画像の画像データのインデックスプリントを作成するにあたって、連写画像のインデックスプリントの連写画像の列数を設定可能としている。例えば、一列８枚と設定されれば、図６又は図８に示したように一列８枚のインデックスプリントが作成される。
【００５８】
そして、一列の枚数は８枚に限ることなく、４枚など枚数を少なくして、一枚一枚を大きく印刷することや、一列の枚数を連写枚数に合せる場合、又は、複数列として多数枚を並べるようにすることができる。
【００５９】
なお、本発明の画像配列部は、動作の向きに応じてインデックスプリントの画像データの配列を定めて、印刷部等を制御してインデックスプリントの印刷を行うものであって、動作方向検出部において、連写画像の中には、例えば、静止画、微動画等を含む場合であっても、連写画像全体の半数以上の動作特徴点が同方向に移動していれば、その方向に各画像を配列して印刷するものである。
【００６０】
また、本発明の画像配列部は、動作の向きに応じてインデックスプリントの画像データの配列を定めて、印刷部等を制御してインデックスプリントの印刷を行うものであって、動作方向検出部において、連写画像の移動方向が、例えば、斜め方向、上下方向であれば、その移動方向に準じて各画像を配列してインデックスプリントに印刷すればよい。
【００６１】
なお、本発明の画像印刷配列決定装置について印刷装置1を適用した例について説明してきたが、これに限定するものではなく、画像を配列しなおして連写画像を見やすい方向に並べなおす、装置全般に適用可能である。
【００６２】
以上のように本実施形態によれば、一連の連続動作に基づく連写画像における被写体等の動きを自動検出して、最適な向きで画像をレイアウトすることにより、自然で動きの変化を見易くするインデックスプリントを印刷可能とする画像印刷配列決定装置、及び、画像印刷配列決定方法を提供することができる。
【００６３】
さらに、本実施形態によれば、識別した連写画像の画像データの枚数を検出することにより、速やかにインデックスプリントの横、又は、縦の配列数を決めることができる。
【００６４】
また、本実施形態によれば、被写体の動作方向を検出することにより、動作に即した配列を可能としている。
【００６５】
そして、本実施形態によれば、インデックスプリントにおける連写画像の列数を設定させることにより、多数枚の連写画像であれば、複数列のインデックスプリントを印刷することができる。
【００６６】
さらに、本実施形態によれば、インデックスプリントにおける連写画像の一列の枚数を設定させることにより、連写画像の枚数や画像の大きさを加味したインデックスプリントを印刷することができる。
【００６７】
さらに、本発明の実施形態における処理は、コンピュータに実現させることのできる印刷制御プログラムとして、例えば磁気ディスク、光ディスク、半導体メモリ等の記憶媒体に書き込んだ状態で各種装置に適用する、或いは、通信媒体により伝送して各種装置に適用することも可能である。このように所望の記憶媒体に本実施形態で述べた各処理を記憶させ、他のコンピュータ等で制御プログラムを実行させることにより、本実施形態の装置を用いた場合と同様の作用効果が得られる。なお、コンピュータは、本実施形態で述べた装置に内蔵されたコンピュータに限定されるわけではなく、記憶媒体に記憶された印刷制御プログラムを読み取り可能であって、読み取った制御プログラムに従って制御動作を行うＣＰＵ等の演算装置を備えているあらゆるコンピュータを含む。
【００６８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに特許請求の範囲に記載された発明とその均等の範囲に含まれる。
【００６９】
以下に、本願出願の最初の特許請求の範囲に記載された発明を付記する。
[１]  画像データが記憶された画像データ記憶部と制御部とを備え、
前記制御部は、
前記画像データ記憶部で記憶された複数の画像データから連写によって生成された複数の連写画像データを識別する連写画像データ識別部と、
前記連写画像データ識別部で検出した前記複数の連写画像データから当該複数の連写画像データに記録された被写体データによって表される被写体の動作方向を検出する動作方向検出部と、
前記動作方向検出部により検出された向きに基づいて、前記複数の連写画像データを媒体上に印刷して形成される複数の印刷画像の前記媒体上における配列の向きを定めて、前記複数の印刷画像が前記配列の向きに沿って時系列に並ぶように、前記複数の印刷画像の前記配列を定める画像配列部と、を有することを特徴とする画像印刷配列決定装置。
[２]  前記連写画像データ識別部は、識別した前記複数の連写画像データの枚数を検出することを特徴とする上記[１]に記載の画像印刷配列決定装置。
[３]  前記動作方向検出部は、前記複数の連写画像データに記憶された前記被写体データに基づいて前記被写体の動作方向が上下左右の何れかを検出することを特徴とする上記[１]又は上記[２]に記載の画像印刷配列決定装置。
[４]  前記画像印刷配列決定装置は、外部からの入力を受け付ける入力部をさらに備え、
前記入力部には、前記複数の印刷画像の前記媒体上における列数が入力されることを特徴とする上記[１]乃至上記[３]の何れかに記載の画像印刷配列決定装置
[５]  前記入力部には、前記複数の印刷画像の前記媒体上における一列の枚数が入力されることを特徴とする上記[４]に記載の画像印刷配列決定装置。
[６]  外部から画像データを読み込んで、読み込まれた前記画像データを記憶し、前記記憶された複数の画像データから連写によって生成された複数の連写画像データを識別し、前記識別した前記複数の連写画像データから当該複数の連写画像データに記録された被写体データによって表される被写体の動作方向を検出し、前記検出した動作方向に基づいて、前記複数の連写画像データを媒体上に印刷して形成される複数の印刷画像の前記媒体上における配列の向きを定めて、前記複数の印刷画像が前記配列の向きに沿って時系列に並ぶように、前記複数の印刷画像の前記配列を定めることを特徴とする画像印刷配列決定方法。
【符号の説明】
【００７０】
１    印刷装置                            ２    筐体
３    キーボード
５    排紙口                              ６    記憶媒体挿入口
８    表示部                              １０  被印刷媒体
１１  印刷面
１５  取っ手                              １６  空腔部
１８  給紙トレイ                          １９  ピックアップローラ
２０ａ，２０ｂ  搬送ローラ                ２１  印刷ヘッド
２２ａ，２２ｂ  排紙ローラ  
３０  電源スイッチキー                    ３２  カーソルキー
３４  実行キー                            ３６  文字・数字キー
４１  制御部                              ４２  記憶部
４５  入力部                              ４７  印刷機構
５１  ＲＯＭ                              ５２  ＲＡＭ
５３  Ｉ／Ｏ                              ５４  外部メモリ
５５  印刷部                              ５６  搬送部
６０  インデックスプリント
７０  右移動インデックスプリント
７０ａ第一連写画像データ                  ７０ｂ第二連写画像データ
７０ｃ第三連写画像データ                  ７０ｄ第四連写画像データ
７０ｅ第五連写画像データ                  ７０ｆ第六連写画像データ
７０ｇ第七連写画像データ                  ７０ｈ第八連写画像データ
７５  動作特徴点
８０  左移動インデックスプリント
８０ａ第一連写画像データ                  ８０ｂ第二連写画像データ
８０ｃ第三連写画像データ                  ８０ｄ第四連写画像データ
８０ｅ第五連写画像データ                  ８０ｆ第六連写画像データ
８０ｇ第七連写画像データ                  ８０ｈ第八連写画像データ
８５  動作特徴点
【図１】
2014060566.tif 000003
【図２】
2014060566.tif 000004
【図３】
2014060566.tif 000005
【図４】
2014060566.tif 000006
【図５】
2014060566.tif 000007
【図６】
2014060566.tif 000008
【図７】
2014060566.tif 000009
【図８】
2014060566.tif 000010
【図９】
2014060566.tif 000011
【手続補正書】
【提出日】平成25年9月12日(2013.9.12)
【手続補正１】
【補正対象書類名】特許請求の範囲
【補正対象項目名】全文
【補正方法】変更
【補正の内容】
【特許請求の範囲】
【請求項１】
複数の画像データの中から、連写によって生成された一連の複数の連写画像データを識別し、
前記識別した前記一連の複数の連写画像データの中から、当該一連の複数の連写画像データに記録された被写体データによって表される被写体の動作の向きを検出し、
前記検出した動作の向きに基づいて、前記一連の複数の連写画像データを配列する向きを定め、前記一連の複数の連写画像データが前記配列の向きに沿って時系列に並ぶように、前記一連の複数の連写画像データの前記配列を定める、
ことを特徴とする画像配列決定方法。
【請求項２】
前記一連の複数の連写画像データを識別する際に、識別した前記一連の複数の連写画像データの枚数を検出することを特徴とする請求項１に記載の画像配列決定方法。
【請求項３】
前記動作の向きを検出する際に、前記一連の複数の連写画像データに記憶された前記被写体データに基づいて前記被写体の動作方向が上下左右の何れかを検出することを特徴とする請求項１に記載の画像配列決定方法。
【請求項４】
予め定められた数の１以上の列に前記一連の複数の連写画像データが配列するように、前記一連の複数の連写画像データの前記配列を定めることを特徴とする請求項１に記載の画像配列決定方法。
【請求項５】
前記１以上の列のそれぞれに予め定められた数の画像が配列するように、前記一連の複数の連写画像データの前記配列を定めることを特徴とする請求項４に記載の画像配列決定方法。
【請求項６】
前記検出した動作の向きは、右から左の向きであることを特徴とする請求項１に記載の画像配列決定方法。
【請求項７】
コンピュータに、
記憶部に記憶された複数の画像データの中から、連写によって生成された一連の複数の連写画像データを識別させ、
前記識別した前記一連の複数の連写画像データの中から、当該一連の複数の連写画像データに記録された被写体データによって表される被写体の動作の向きを検出させ、
前記検出した動作の向きに基づいて、前記一連の複数の連写画像データを配列する向きを定めさせ、前記一連の複数の連写画像データが前記配列の向きに沿って時系列に並ぶように、前記一連の複数の連写画像データの前記配列を定めさせる、
ことを特徴とするプログラムを記憶したコンピュータ読み取り可能な記録媒体。
【請求項８】
前記連写画像データを識別させる際に、前記コンピュータに、
識別した前記複数の連写画像データの枚数を検出させることを特徴とする請求項７に記載のプログラムを記憶したコンピュータ読み取り可能な記録媒体。
【請求項９】
前記動作の向きを検出させる際に、前記コンピュータに、
前記複数の連写画像データに記憶された前記被写体データに基づいて前記被写体の動作方向が上下左右の何れかを検出させることを特徴とする請求項７に記載のプログラムを記憶したコンピュータ読み取り可能な記録媒体。
【請求項１０】
前記コンピュータに、
予め定められた数の１以上の列に前記複数の連写画像データが配列するように、前記複数の連写画像データの前記配列を定めさせることを特徴とする請求項７に記載のプログラムを記憶したコンピュータ読み取り可能な記録媒体。
【請求項１１】
前記コンピュータに、
前記１以上の列のそれぞれに予め定められた数の画像が配列するように、前記複数の連写画像データの前記配列を定めさせることを特徴とする請求項１０に記載のプログラムを記憶したコンピュータ読み取り可能な記録媒体。
【請求項１２】
前記検出した動作の向きは、右から左の向きであることを特徴とする請求項７に記載のプログラムを記憶したコンピュータ読み取り可能な記録媒体。
【請求項１３】
記憶部に記憶された複数の画像データを読み出す制御部を備える画像配列決定装置であって、
前記制御部は、
前記複数の画像データの中から、連写によって生成された一連の複数の連写画像データを識別し、
前記識別した前記一連の複数の連写画像データの中から、当該一連の複数の連写画像データに記録された被写体データによって表される被写体の動作の向きを検出し、
前記検出した動作の向きに基づいて、前記一連の複数の連写画像データを配列する向きを定め、前記一連の複数の連写画像データが前記配列の向きに沿って時系列に並ぶように、前記一連の複数の連写画像データの前記配列を定める、
ことを特徴とする画像配列決定装置。
【請求項１４】
前記検出した動作の向きは、右から左の向きであることを特徴とする請求項１３に記載の画像配列決定装置。
【請求項１５】
記憶部に記憶された複数の画像データを読み出す制御部と、前記制御部によって読み出された前記画像データを媒体に印刷する印刷部と、を備える印刷装置であって、
前記制御部は、
前記複数の画像データの中から、連写によって生成された一連の複数の連写画像データを識別し、
前記識別した前記一連の複数の連写画像データの中から、当該一連の複数の連写画像データに記録された被写体データによって表される被写体の動作の向きを検出し、
前記検出した動作の向きに基づいて、前記一連の複数の連写画像データを配列する向きを定め、前記一連の複数の連写画像データが前記配列の向きに沿って時系列に並ぶように、前記一連の複数の連写画像データの前記配列を定め、
前記印刷部に、定められた前記配列に従って、前記一連の複数の連写画像データを前記媒体に印刷させる、
ことを特徴とする印刷装置。
【請求項１６】
前記検出した動作の向きは、右から左の向きであることを特徴とする請求項１５に記載の印刷装置。
【請求項１７】
複数の画像データが記憶された記憶部から画像データを読み出す制御部と、前記制御部によって読み出された画像データを表示する表示部と、を備える表示装置であって、
前記制御部は、
前記記憶部に記憶された前記複数の画像データの中から、連写によって生成された一連の複数の連写画像データを識別し、
前記識別した前記一連の複数の連写画像データの中から、当該一連の複数の連写画像データに記録された被写体データによって表される被写体の動作の向きを検出し、
前記検出した動作の向きに基づいて、前記一連の複数の連写画像データを配列する向きを定め、前記一連の複数の連写画像データが前記配列の向きに沿って時系列に並ぶように、前記一連の複数の連写画像データの前記配列を定め、
前記定められた前記配列に従って、前記一連の複数の連写画像データを前記表示部に表示させる、
ことを特徴とする表示装置。
【請求項１８】
前記検出した動作の向きは、右から左の向きであることを特徴とする請求項１７に記載の表示装置。
【手続補正３】
【補正対象書類名】明細書
【補正対象項目名】０００１
【補正方法】変更
【補正の内容】
【０００１】
本発明は、画像配列決定方法、画像配列決定装置、及び、プログラム、印刷装置、表示装置に関する。
【手続補正４】
【補正対象書類名】明細書
【補正対象項目名】０００８
【補正方法】変更
【補正の内容】
【０００８】
本発明に係る画像配列決定方法は、複数の画像データの中から、連写によって生成された一連の複数の連写画像データを識別し、前記識別した前記一連の複数の連写画像データの中から、当該一連の複数の連写画像データに記録された被写体データによって表される被写体の動作の向きを検出し、前記検出した動作の向きに基づいて、前記一連の複数の連写画像データを配列する向きを定め、前記一連の複数の連写画像データが前記配列の向きに沿って時系列に並ぶように、前記一連の複数の連写画像データの前記配列を定める、ことを特徴とする。
本発明に係るプログラムは、コンピュータに、記憶部に記憶された複数の画像データの中から、連写によって生成された一連の複数の連写画像データを識別させ、前記識別した前記一連の複数の連写画像データの中から、当該一連の複数の連写画像データに記録された被写体データによって表される被写体の動作の向きを検出させ、前記検出した動作の向きに基づいて、前記一連の複数の連写画像データを配列する向きを定めさせ、前記一連の複数の連写画像データが前記配列の向きに沿って時系列に並ぶように、前記一連の複数の連写画像データの前記配列を定めさせる、ことを特徴とする。
【手続補正５】
【補正対象書類名】明細書
【補正対象項目名】０００９
【補正方法】変更
【補正の内容】
【０００９】
本発明に係る画像配列決定装置は、記憶部に記憶された複数の画像データを読み出す制御部を備える画像配列決定装置であって、前記制御部は、前記複数の画像データの中から、連写によって生成された一連の複数の連写画像データを識別し、前記識別した前記一連の複数の連写画像データの中から、当該一連の複数の連写画像データに記録された被写体データによって表される被写体の動作の向きを検出し、前記検出した動作の向きに基づいて、前記一連の複数の連写画像データを配列する向きを定め、前記一連の複数の連写画像データが前記配列の向きに沿って時系列に並ぶように、前記一連の複数の連写画像データの前記配列を定める、ことを特徴とする。
本発明に係る印刷装置は、記憶部に記憶された複数の画像データを読み出す制御部と、前記制御部によって読み出された前記画像データを媒体に印刷する印刷部と、を備える印刷装置であって、前記制御部は、前記複数の画像データの中から、連写によって生成された一連の複数の連写画像データを識別し、前記識別した前記一連の複数の連写画像データの中から、当該一連の複数の連写画像データに記録された被写体データによって表される被写体の動作の向きを検出し、前記検出した動作の向きに基づいて、前記一連の複数の連写画像データを配列する向きを定め、前記一連の複数の連写画像データが前記配列の向きに沿って時系列に並ぶように、前記一連の複数の連写画像データの前記配列を定め、前記印刷部に、定められた前記配列に従って、前記一連の複数の連写画像データを前記媒体に印刷させる、ことを特徴とする。
本発明に係る表示装置は、複数の画像データが記憶された記憶部から画像データを読み出す制御部と、前記制御部によって読み出された画像データを表示する表示部と、を備える表示装置であって、前記制御部は、前記記憶部に記憶された前記複数の画像データの中から、連写によって生成された一連の複数の連写画像データを識別し、前記識別した前記一連の複数の連写画像データの中から、当該一連の複数の連写画像データに記録された被写体データによって表される被写体の動作の向きを検出し、前記検出した動作の向きに基づいて、前記一連の複数の連写画像データを配列する向きを定め、前記一連の複数の連写画像データが前記配列の向きに沿って時系列に並ぶように、前記一連の複数の連写画像データの前記配列を定め、前記定められた前記配列に従って、前記一連の複数の連写画像データを前記表示部に表示させる、ことを特徴とする。